(57)【要約】【解決手段】エアオーバーカートまたはエアスルーカートのいずれかのための冷却された航空機ギャレーのユニバーサルモジュール式ダクト装置は、モジュール式基本供給及び還気ダクトアセンブリを有する。出口ポート連結アダプタ（３２）は、冷却器供給空気ダクト出口ポート（３０）を航空機ギャレー食事カートのエアスルー構成またはエアオーバー構成のいずれかに連結するように構成される。供給及び還気ダクトアセンブリは、内部で絶縁され、熱成形プラスチック、プリプレグ、または、炭素繊維強化複合材料から作られてもよい。供給ダクト上部及び下部（２４、３０）は、連結アダプタ（３２、４６）によって連結されてもよく、還気ダクト上部及び下部（３８、４４）は、連結アダプタ（４６）によって連結されてもよく、これにより、供給ダクト上部及び還気ダクト上部が重なり合う。【選択図】図１
2016537606.tif 000002
【特許請求の範囲】
【請求項１】
冷却器装置から少なくとも１つの冷却されたギャレー食事カートベイの少なくとも１つの航空機ギャレー食事カートを冷却するための航空機ギャレー配管アセンブリを備える冷却された航空機ギャレーのユニバーサルモジュール式ダクト装置であって、
少なくとも１つの航空機ギャレー食事カートに冷却された供給気流を供給するように構成された冷却器供給空気ダクトアセンブリであって、前記冷却器供給空気ダクトアセンブリは、冷却器装置から前記冷却された供給気流を受けるように構成された冷却器供給空気入口ポートを有する冷却器供給空気ダクト下部と、少なくとも１つの冷却器供給空気ダクト出口ポートを有する冷却器供給空気ダクト上部と、を備え、前記少なくとも１つの冷却器供給空気ダクト出口ポートはそれぞれ、前記少なくとも１つの冷却器供給空気ダクト出口ポートを前記少なくとも１つの航空機ギャレー食事カートに連結するように構成された出口ポート連結アダプタを備える、冷却器供給空気ダクトアセンブリと、
前記少なくとも１つの航空機ギャレー食事カートから還気流を供給するように構成された冷却器還気ダクトアセンブリであって、前記冷却器還気ダクトアセンブリは、前記少なくとも１つの航空機ギャレー食事カートから還気流を受けるように構成された少なくとも１つの冷却器還気入口ポートを有する冷却器還気ダクト上部と、前記気流の冷却のため、前記冷却器装置に前記還気流を供給するように構成された冷却器還気出口ポートを有する冷却器還気ダクト下部と、を備え、前記少なくとも１つの冷却器還気ダクト入口ポートはそれぞれ、前記少なくとも１つの冷却器還気ダクト入口ポートを前記少なくとも１つの航空機ギャレー食事カートに連結するように構成された入口ポート連結アダプタを備える、冷却器還気ダクトアセンブリと、
を備える、ユニバーサルモジュール式ダクト装置。
【請求項２】
前記冷却器供給空気ダクトアセンブリ及び前記冷却器還気ダクトアセンブリは、内部で絶縁されている、
請求項１に記載のユニバーサルモジュール式ダクト装置。
【請求項３】
前記冷却器供給空気ダクトアセンブリ及び前記冷却器還気ダクトアセンブリは、モジュール式である、
請求項１に記載のユニバーサルモジュール式ダクト装置。
【請求項４】
前記冷却器供給空気ダクトアセンブリ及び前記冷却器還気ダクトアセンブリは、熱成形プラスチックで作られる、
請求項１に記載のユニバーサルモジュール式ダクト装置。
【請求項５】
前記冷却器供給空気ダクトアセンブリ及び前記冷却器還気ダクトアセンブリは、合成樹脂に予備含浸させた繊維材料で作られる、
請求項１に記載のユニバーサルモジュール式ダクト装置。
【請求項６】
前記冷却器供給空気ダクトアセンブリ及び前記冷却器還気ダクトアセンブリは、炭素繊維強化複合材料で作られる、
請求項１に記載のユニバーサルモジュール式ダクト装置。
【請求項７】
前記出口ポート連結アダプタは、前記少なくとも１つの冷却器供給空気ダクト出口ポートをエアスルーギャレー食事カートに連結するように構成される、
請求項１に記載のユニバーサルモジュール式ダクト装置。
【請求項８】
前記出口ポート連結アダプタは、前記少なくとも１つの冷却器供給空気ダクト出口ポートをエアオーバーギャレー食事カートに連結するように構成される、
請求項１に記載のユニバーサルモジュール式ダクト装置。
【請求項９】
前記冷却器供給空気ダクト下部は、冷却器供給空気ダクトメイン連結アダプタによって、前記冷却器供給空気ダクト上部に連結され、前記冷却器還気ダクト下部は、冷却器還気ダクトメイン連結アダプタによって、前記冷却器還気ダクト上部に連結される、
請求項１に記載のユニバーサルモジュール式ダクト装置。
【請求項１０】
前記冷却器供給空気ダクト上部及び前記冷却器還気ダクト上部は重なり合う、
請求項１に記載のユニバーサルモジュール式ダクト装置。
【請求項１１】
冷却された航空機ギャレーのユニバーサルモジュール式ダクト装置であって、
少なくとも１つの冷却されたギャレー食事カートベイの前側に取り外し可能に受けられる複数の航空機ギャレー食事カートを冷却するための少なくとも１つの冷却されたギャレー食事カートベイと、
前記少なくとも１つの冷却されたギャレー食事カートベイの後側に配置された航空機ギャレー配管アセンブリであって、前記航空機ギャレー配管アセンブリは、冷却器装置から前記複数の航空機ギャレー食事カートに冷却された供給気流を供給するように構成された冷却器供給空気ダクトアセンブリと、前記複数の航空機ギャレー食事カートから前記冷却器装置に還気流を供給するように構成された冷却器還気ダクトアセンブリと、を備え、前記冷却器供給空気ダクトアセンブリは、前記冷却器装置から前記冷却された供給気流を受けるように構成された冷却器供給空気入口ポートを有する冷却器供給空気ダクト下部と、前記複数の冷却器供給空気ダクト出口ポートを前記複数の航空機ギャレー食事カートに連結するように構成された出口ポート連結アダプタをそれぞれ備える複数の冷却器供給空気ダクト出口ポートを有する冷却器供給空気ダクト上部と、を備え、前記冷却器還気ダクトアセンブリは、前記複数の航空機ギャレー食事カートから還気流を受けるように構成された複数の冷却器還気入口ポートを有する冷却器還気ダクト上部と、前記気流の冷却のため、前記冷却器装置に前記還気流を供給するように構成された冷却器還気出口ポートを有する冷却器還気ダクト下部と、を備え、前記複数の冷却器還気入口ポートのそれぞれは、前記複数の冷却器還気入口ポートを前記複数の航空機ギャレー食事カートに連結するように構成された入口ポート連結アダプタを備える、航空機ギャレー配管アセンブリと、
を備え、
前記冷却器還気ダクト下部は、有利には、冷却器還気ダクトメイン連結アダプタによって、前記冷却器還気ダクト上部に連結され、前記冷却器供給空気ダクト上部及び前記冷却器還気ダクト上部は、前記冷却されたギャレー食事カートベイの複数の航空機ギャレー食事カートとの連結部において重なり合い、前記冷却器供給空気ダクト下部及び前記冷却器還気ダクト下部は、隣り合う、
ユニバーサルモジュール式ダクト装置。
【請求項１２】
前記冷却器供給空気ダクトアセンブリ及び前記冷却器還気ダクトアセンブリは、内部で絶縁される、
請求項１１に記載のユニバーサルモジュール式ダクト装置。
【請求項１３】
前記冷却器供給空気ダクトアセンブリ及び前記冷却器還気ダクトアセンブリは、モジュール式である、
請求項１１に記載のユニバーサルモジュール式ダクト装置。
【請求項１４】
前記冷却器供給空気ダクトアセンブリ及び前記冷却器還気ダクトアセンブリは、熱成形プラスチックで作られる、
請求項１１に記載のユニバーサルモジュール式ダクト装置。
【請求項１５】
前記冷却器供給空気ダクトアセンブリ及び前記冷却器還気ダクトアセンブリは、合成樹脂に予備含浸させた繊維材料で作られる、
請求項１１に記載のユニバーサルモジュール式ダクト装置。
【請求項１６】
前記冷却器供給空気ダクトアセンブリ及び前記冷却器還気ダクトアセンブリは、炭素繊維強化複合材料で作られる、
請求項１１に記載のユニバーサルモジュール式ダクト装置。
【請求項１７】
前記出口ポート連結アダプタは、前記複数の冷却器供給空気ダクト出口ポートを複数のエアスルーギャレー食事カートに連結するように構成される、
請求項１１に記載のユニバーサルモジュール式ダクト装置。
【請求項１８】
前記出口ポート連結アダプタは、前記複数の冷却器供給空気ダクト出口ポートを複数のエアオーバーギャレー食事カートに連結するように構成される、
請求項１１に記載のユニバーサルモジュール式ダクト装置。
【請求項１９】
前記冷却器供給空気ダクトメイン連結アダプタは、前記冷却器還気ダクトメイン連結アダプタに対して斜角に延出して、前記冷却器供給空気ダクト上部及び前記冷却器還気ダクト上部が重なり合うように構成される、
請求項１１に記載のユニバーサルモジュール式ダクト装置。
【請求項２０】
前記冷却器還気ダクトメイン連結アダプタは、前記冷却器供給空気ダクトメイン連結アダプタに対して斜角に延出して、前記冷却器供給空気ダクト上部及び前記冷却器ダクト上部が重なり合うように構成される、
請求項１１に記載のユニバーサルモジュール式ダクト装置。
【発明の詳細な説明】
【技術分野】
【０００１】
関連出願の相互参照
本出願は、２０１３年８月２９日に出願された米国特許出願第６１／８７１，８２９号、及び、２０１４年８月２５日に出願された米国特許出願第１４／４６７，５８３号の優先権を主張し、それらの内容を参照により組み込む。
【背景技術】
【０００２】
本発明は、輸送機ギャレーシステムに関し、特に、客室乗務員によるサービスの前に食事カートを冷却するシステムに関する。
【０００３】
現代の輸送機の航空機ギャレーシステムは、客室乗務員によって乗客に食事が提供される前に食事の腐敗を防止するため、冷却された食事カートを組み込む。これらの食事カートは、一般的に、食事カートの内部を冷却するように設計されたギャレーの冷気供給システムと接続している。ギャレー冷却システムは、一般的に、ギャレーキャビネットに搭載され、冷気がギャレー冷却システムから排出され、ギャレーキャビネットのギャレー食事カートの上を通って、または、ギャレー食事カートの中を通って循環し、ギャレー冷却システムに戻り、再び冷却され、排出されるようにする。
【０００４】
民間旅客機に一般的に見られる側部ギャレーまたは後部ギャレーのいずれかに用いるのに適した空気供給配管アセンブリであって、単に連結アダプタを変更するだけで、空気が上を通る（エアオーバー）構成または空気が中を通る（エアスルー）構成のいずれかを有するギャレー食事カートベイにおいてギャレー食事カートを冷却するのに使用可能な、空気供給配管アセンブリを提供することが望ましい。ギャレーの後部の空間を増やすために、断面積が削減された空気供給配管アセンブリを提供することが望ましい。モジュール式により様々な冷却構成を採用することができる空気供給配管アセンブリであって、高い完全絶縁性を備え、効率的な供給と還気のバランスをとる能力を提供する、空気供給配管アセンブリを提供することが望ましい。本発明は、これら及び他の要求を満たす。
【発明の概要】
【課題を解決するための手段】
【０００５】
手短に大まかに言うと、本発明は、冷却された航空機ギャレーのユニバーサルモジュール式ダクト装置であって、エアオーバーカート、または、エアスルーカートのいずれかを冷却するのに使用可能であり、断面積が削減され、モジュール式の基本ダクトアセンブリを有し、繊維ガラスや炭素繊維強化プリプレグ成形物の生産用具を作成するのに再構成されることができる断面真空形成プラスチック部品やマスター型で形成されることができる、ユニバーサルモジュール式ダクト装置を提供する。供給気流及び還気流は、エアオーバー構成またはエアスルー構成のいずれかにおいて、プレート制限器を用いて、カートベイ毎に個別にバランスをとってもよく、ダクトは、完全絶縁性を有してもよい。
【０００６】
従って、本発明は、冷却器装置から１つ以上の冷却されたギャレー食事カートベイにおける１つ以上の航空機ギャレー食事カートを冷却するための航空機ギャレー配管アセンブリを備える、冷却された航空機ギャレーのユニバーサルモジュール式ダクト装置を提供する。ユニバーサルモジュール式ダクト装置は、冷却された供給気流を１つ以上の航空機ギャレー食事カートに供給するように構成された冷却器供給空気ダクトアセンブリを備える。現在好適な態様において、冷却器供給空気ダクトアセンブリは、冷却器装置から冷却された供給気流を受けるように構成された冷却器供給空気入口ポートを有する冷却器供給空気ダクト下部と、１つ以上の冷却器供給空気ダクト出口ポートを１つ以上の航空機ギャレー食事カートに連結するように構成された出口ポート連結アダプタをそれぞれ備える１つ以上の冷却器供給空気ダクト出口ポートを有する冷却器供給空気ダクト上部と、を備える。冷却器供給空気ダクトアセンブリはまた、好ましくは、１つ以上の航空機ギャレー食事カートから還気流を供給するように構成された冷却器還気ダクトアセンブリを備える。現在好適な態様において、冷却器還気ダクトアセンブリは、１つ以上の航空機ギャレー食事カートから還気流を受けるように構成された少なくとも１つの冷却器還気入口ポートを有する冷却器還気ダクト上部と、気流の冷却のため、冷却器装置に還気流を供給するように構成された冷却器還気出口ポートを有する冷却器還気ダクト下部と、を備える。
【０００７】
現在好適な態様において、冷却器供給空気ダクトアセンブリ及び冷却器還気ダクトアセンブリは、内部で絶縁されている。現在好適な態様において、冷却器供給空気ダクトアセンブリ及び冷却器還気ダクトアセンブリは、モジュール式である。現在好適な態様において、冷却器供給空気ダクトアセンブリ及び冷却器還気ダクトアセンブリは、随意的に、例えば、熱成形プラスチック、合成樹脂に予備含浸させた繊維材料、プリプレグ、または、炭素繊維強化複合材料から作られてもよい。
【０００８】
現在好適な態様において、出口ポート連結アダプタは、１つ以上の冷却器供給空気ダクト出口ポートをエアスルーギャレー食事カートに連結するように構成される。別の現在好適な態様において、出口ポート連結アダプタは、１つ以上の冷却器供給空気ダクト出口ポートをエアオーバーギャレー食事カートに連結するように構成される。
【０００９】
別の現在好適な態様において、冷却器供給空気ダクト下部は、冷却器供給空気ダクトメイン連結アダプタによって冷却器供給空気ダクト上部に連結され、冷却器還気ダクト下部は、冷却器還気ダクトメイン連結アダプタによって冷却器還気ダクト上部に連結される。別の現在好適な態様において、冷却器供給空気ダクト上部及び冷却器還気ダクト上部は、重なり合う。
【００１０】
本発明の他の特徴および利点が、例として、本発明の動作を図示する添付の図面と合わせて以下の好適な実施形態の詳細な記載から明らかになるだろう。
【図面の簡単な説明】
【００１１】
【図１】本発明に係る、エアスルーギャレー食事カートの冷却された航空機ギャレーのユニバーサルモジュール式ダクト装置の第１の実施形態の斜視図を示す概略図である。
【図２】簡略化のため冷却された還気ダクトを省いた、図１の冷却された空気供給ダクトの斜視図を示す概略図である。
【図３】簡略化のため冷却された空気供給ダクトを省いた、図１の冷却された還気ダクトの斜視図を示す概略図である。
【図４】本発明に係る、エアオーバーギャレー食事カートの冷却された航空機ギャレーのユニバーサルモジュール式ダクト装置の第２の実施形態の斜視図を示す概略図である。
【図５】図４の冷却された空気供給及び還気ダクトの簡略化された斜視図を示す概略図である。
【図６】簡略化のため冷却された還気ダクトを省いた、図４の冷却された空気供給ダクトの斜視図を示す概略図である。
【図７】簡略化のため冷却された空気供給ダクトを省いた、図４の冷却された空気供給ダクトの斜視図を示す概略図である。
【発明を実施するための形態】
【００１２】
図１から図３を参照すると、第１の現在好適な実施形態において、本発明は、冷却されたギャレー食事カートベイの前側１６に取り外し可能に受けることができる（図示しない）１つ以上の航空機ギャレー食事カートを冷却するため、１つ以上の冷却されたギャレー食事カートベイ１４の後側１２に一般的に設けられた航空機ギャレー配管アセンブリ１０を提供する。航空機ギャレー配管アセンブリは、（図示しない）冷却器装置から冷却されたギャレー食事カートベイの対応する航空機ギャレー食事カートに冷却された供給気流２０を供給するように構成された冷却器供給空気ダクトアセンブリ１８と、冷却されたギャレー食事カートベイの航空機ギャレー食事カートから冷却器装置に還気流を供給するように構成された冷却器還気ダクトアセンブリ２２と、を備える。
【００１３】
冷却器供給空気ダクトアセンブリは、好ましくは、図２に最も示されるように、冷却器装置から冷却された供給気流を受けるように構成された冷却器供給空気入口ポート２６を有する冷却器供給空気ダクト下部２４と、１つ以上の冷却器供給空気ダクト出口ポート３０を有する冷却器供給空気ダクト上部２８と、を備える。冷却器供給空気ダクト下部は、有利には、以下にさらに説明するように、冷却器供給空気ダクトメイン連結アダプタ３２によって冷却器供給空気ダクト上部に連結され、１つ以上の冷却器供給空気ダクト出口ポートのそれぞれは、好ましくは、図１及び図２に示すように、１つ以上の冷却器供給空気ダクト出口ポートをエアスルーギャレー食事カート構成に連結するように構成された出口ポート連結アダプタ３４を備える。
【００１４】
冷却器還気ダクトアセンブリは、対応する航空機ギャレー食事カートから還気流４０を受けるように構成された１つ以上の冷却器還気入口ポート３８を有する冷却器還気ダクト上部３６と、気流の冷却のため、冷却器装置に還気流を供給するように構成された冷却器還気出口ポート４４を有する冷却器還気ダクト下部４２と、を備える。１つ以上の冷却器還気ダクト入口ポートのそれぞれは、好ましくは、１つ以上の冷却器還気ダクト入口ポートをエアスルーギャレー食事カート構成４７に連結するように構成された入口ポート連結アダプタ４５を備える。冷却器還気ダクト下部は、有利には、冷却器還気ダクトメイン連結アダプタ４６によって冷却器還気ダクト上部に連結される。
【００１５】
図１に示すように、冷却器供給空気ダクト上部及び冷却器還気ダクト上部は、好ましくは、冷却されたギャレー食事カートベイの１つ以上の航空機ギャレー食事カートとの連結部において重なり合うとともに、冷却器供給空気ダクト下部及び冷却器還気ダクト下部は、隣り合い、冷却器供給空気ダクトメイン連結アダプタ及び冷却器還気ダクトメイン連結アダプタの少なくとも一方は、もう一方に対して斜角に延出して、冷却器供給空気ダクト上部及び冷却器還気ダクト上部が重なり合うように構成される。
【００１６】
現在好適な態様において、冷却器供給空気ダクトアセンブリ及び冷却器還気ダクトアセンブリは、真空絶縁パネルや、化学物質に、完全に、または、部分的に含浸させた防水性可撓性多孔質発泡体などにより、内部で絶縁されて、さらに、例えば、シリコーンなどの別の適合性材料の塗膜を含むことができ、例えば、絶縁密封材を提供する。冷却器供給空気ダクトアセンブリ及び冷却器還気ダクトアセンブリは、随意的に、モジュール部分４８を備えることで、カート構成を変更可能にしてもよく、随意的に、例えば、熱成形プラスチック、特定の合成樹脂に予備含浸させた繊維材料、プリプレグ、または、炭素繊維強化複合材料（ＣＦＲＣ）で作られてもよい。
【００１７】
図４から図７を参照すると、第２の現在好適な実施形態において、本発明は、冷却されたギャレー食事カートベイの前側１１６に取り外し可能に受けられる（図示しない）１つ以上の航空機ギャレー食事カートを冷却するため、１つ以上の冷却されたギャレー食事カートベイ１１４の後側１１２に一般的に設けられた航空機ギャレー配管アセンブリ１１０を提供する。航空機ギャレー配管アセンブリは、（図示しない）冷却器装置から冷却されたギャレー食事カートベイの対応する航空機ギャレー食事カートに冷却された供給気流１２０を供給するように構成された冷却器供給空気ダクトアセンブリ１１８と、冷却されたギャレー食事カートベイの航空機ギャレー食事カートから冷却器装置に還気流を供給するように構成された冷却器還気ダクトアセンブリ１２２と、を備える。
【００１８】
冷却器供給空気ダクトアセンブリは、図６に最も示されるように、冷却器装置から冷却された供給気流を受けるように構成された冷却器供給空気入口ポート１２６を有する冷却器供給空気ダクト下部１２４と、１つ以上の冷却器供給空気ダクト出口ポート１３０を有する冷却器供給空気ダクト上部１２８と、を備える。冷却器供給空気ダクト下部は、有利には、以下にさらに説明するように、冷却器供給空気ダクトメイン連結アダプタ１３２によって冷却器供給空気ダクト上部に連結され、１つ以上の冷却器供給空気ダクト出口ポートのそれぞれは、好ましくは、図４から図６に示すように、１つ以上の冷却器供給空気ダクト出口ポートと、エアオーバーギャレー食事カート構成のエアオーバーギャレー食事カートダクト１３５との間に連結されるように構成された出口ポート連結アダプタ１３４を備える。
【００１９】
冷却器還気ダクトアセンブリは、図５から図７に最も示されるように、対応する航空機ギャレー食事カートから還気流１４０を受けるように構成された１つ以上の冷却器還気入口ポート１３８を有する冷却器還気ダクト上部１３６と、気流の冷却のため、冷却器装置に還気流を供給するように構成された冷却器還気出口ポート１４４を有する冷却器還気ダクト下部１４２と、を備える。１つ以上の冷却器還気ダクト入口ポートのそれぞれは、好ましくは、１つ以上の冷却器還気ダクト入口ポートをエアスルーギャレー食事カート構成１４７に連結するように構成された入口ポート連結アダプタ１４５を備える。冷却器還気ダクト下部は、有利には、冷却器還気ダクトメイン連結アダプタ１４６によって冷却器還気ダクト上部に連結される。図４に示すように、冷却器供給空気ダクト上部及び冷却器還気ダクト上部は、冷却されたギャレー食事カートベイの１つ以上の航空機ギャレー食事カートとの連結部において重なり合うとともに、冷却器供給空気ダクト下部及び冷却器還気ダクト下部は、隣り合い、冷却器供給空気ダクトメイン連結アダプタ及び冷却器還気ダクトメイン連結アダプタの少なくとも一方は、もう一方に対して斜角に延出して、冷却器供給空気ダクト上部及び冷却器還気ダクト上部が重なり合うように構成される。
【００２０】
現在好適な態様において、冷却器供給空気ダクトアセンブリ及び冷却器還気ダクトアセンブリは、真空絶縁パネルや、化学物質に、完全に、または、部分的に含浸させた防水性可撓性多孔質発泡体などにより、内部で絶縁され、さらに、例えば、シリコーンなどの別の適合性材料の塗膜を含むことができ、例えば、絶縁密封材を提供する。冷却器供給空気ダクトアセンブリ及び冷却器還気ダクトアセンブリは、随意的に、モジュール部分１４８を備えて、カート構成を変更可能にしてもよく、随意的に、例えば、熱成形プラスチック、特定の合成樹脂に予備含浸させた繊維材料、プリプレグまたは炭素繊維強化複合材料（ＣＦＲＣ）で作られてもよい。
【００２１】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
【図１】
2016537606.tif 000003
【図２】
2016537606.tif 000004
【図３】
2016537606.tif 000005
【図４】
2016537606.tif 000006
【図５】
2016537606.tif 000007
【図６】
2016537606.tif 000008
【手続補正書】
【提出日】平成28年5月19日(2016.5.19)
【手続補正１】
【補正対象書類名】明細書
【補正対象項目名】００１１
【補正方法】変更
【補正の内容】
【００１１】
【図１】本発明に係る、エアスルーギャレー食事カートの冷却された航空機ギャレーのユニバーサルモジュール式ダクト装置の第１の実施形態の斜視図を示す概略図である。
【図２】簡略化のため冷却された還気ダクトを省いた、図１の冷却された空気供給ダクトの斜視図を示す概略図である。
【図３】簡略化のため冷却された空気供給ダクトを省いた、図１の冷却された還気ダクトの斜視図を示す概略図である。
【図４】本発明に係る、エアオーバーギャレー食事カートの冷却された航空機ギャレーのユニバーサルモジュール式ダクト装置の第２の実施形態の斜視図を示す概略図である。
【図５】図４の冷却された空気供給及び還気ダクトの簡略化された斜視図を示す概略図である。
【図６】簡略化のため冷却された還気ダクトを省いた、図４の冷却された空気供給ダクトの斜視図を示す概略図である。
【手続補正２】
【補正対象書類名】明細書
【補正対象項目名】００１７
【補正方法】変更
【補正の内容】
【００１７】
図４から図６を参照すると、第２の現在好適な実施形態において、本発明は、冷却されたギャレー食事カートベイの前側１１６に取り外し可能に受けられる（図示しない）１つ以上の航空機ギャレー食事カートを冷却するため、１つ以上の冷却されたギャレー食事カートベイ１１４の後側１１２に一般的に設けられた航空機ギャレー配管アセンブリ１１０を提供する。航空機ギャレー配管アセンブリは、（図示しない）冷却器装置から冷却されたギャレー食事カートベイの対応する航空機ギャレー食事カートに冷却された供給気流１２０を供給するように構成された冷却器供給空気ダクトアセンブリ１１８と、冷却されたギャレー食事カートベイの航空機ギャレー食事カートから冷却器装置に還気流を供給するように構成された冷却器還気ダクトアセンブリ１２２と、を備える。
【手続補正３】
【補正対象書類名】明細書
【補正対象項目名】００１９
【補正方法】変更
【補正の内容】
【００１９】
冷却器還気ダクトアセンブリは、図５に最も示されるように、対応する航空機ギャレー食事カートから還気流１４０を受けるように構成された１つ以上の冷却器還気入口ポート１３８を有する冷却器還気ダクト上部１３６と、気流の冷却のため、冷却器装置に還気流を供給するように構成された冷却器還気出口ポート１４４を有する冷却器還気ダクト下部１４２と、を備える。１つ以上の冷却器還気ダクト入口ポートのそれぞれは、好ましくは、１つ以上の冷却器還気ダクト入口ポートをエアスルーギャレー食事カート構成１４７に連結するように構成された入口ポート連結アダプタ１４５を備える。冷却器還気ダクト下部は、有利には、冷却器還気ダクトメイン連結アダプタ１４６によって冷却器還気ダクト上部に連結される。図４に示すように、冷却器供給空気ダクト上部及び冷却器還気ダクト上部は、冷却されたギャレー食事カートベイの１つ以上の航空機ギャレー食事カートとの連結部において重なり合うとともに、冷却器供給空気ダクト下部及び冷却器還気ダクト下部は、隣り合い、冷却器供給空気ダクトメイン連結アダプタ及び冷却器還気ダクトメイン連結アダプタの少なくとも一方は、もう一方に対して斜角に延出して、冷却器供給空気ダクト上部及び冷却器還気ダクト上部が重なり合うように構成される。
【国際調査報告】
2016537606.tif 000009
2016537606.tif 000010
2016537606.tif 000011